(57)【要約】【課題】  ＣＰＵが暴走してパルスモータが停止しても印字濃度が極端に濃くなってしまうことを防止すること。【解決手段】  記録媒体の搬送にパルスモータ１７を用いたプリンタにおいて、サーマルヘッド１４と、このサーマルヘッド１４に制御信号を出力するヘッド制御回路１２と、パルスモータに相信号を出力するパルスモータ制御回路１３と、パルスモータ制御回路１３からパルスモータ１７に出力される相信号が変化していることを検出する変化検出回路１８とを具備し、変化検出回路１８はパルスモータ１７に供給される相信号が変化していないと判定された場合にはサーマルヘッド１４への制御信号の出力を禁止するようにした。【選択図】  図1
2007160633.tif 000002
【特許請求の範囲】
【請求項１】
記録媒体の搬送にパルスモータを用いたプリンタにおいて、
サーマルヘッドと、
このサーマルヘッドに制御信号を出力するヘッド制御部と、
前記パルスモータに相信号を出力するパルスモータ制御部と、
前記パルスモータ制御部から前記パルスモータに出力される相信号が変化していることを検出する変化検出手段とを具備し、
前記変化検出手段は前記パルスモータに供給される相信号が変化していないと判定された場合には前記サーマルヘッドへの制御信号の出力を禁止することを特徴とするプリンタ装置。
【発明の詳細な説明】
【技術分野】
【０００１】
本発明は、サーマルヘッドを用いたプリンタ装置に関する。
【背景技術】
【０００２】
例えば、産業用のタグ、ラベルプリンタであるサーマルプリンタは、発熱体を配列したサーマルヘッドを具備し、それに対向配置されるプラテンをパルスモータにより駆動し、矜持された用紙を搬送させて、選択的に発熱体を発熱させることによりタグあるいはラベルに印字を行うようにしている。
【特許文献１】特開２００４−１７６０９号公報
【発明の開示】
【発明が解決しようとする課題】
【０００３】
しかし、このような装置では、パルスモータを制御するＣＰＵが暴走してパルスモータが停止すると、用紙の搬送が停止される。このように用紙が停止すると印字濃度が極端に濃くなってしまうという問題があった。
【０００４】
本発明は上記の点に鑑みてなされたもので、その目的は、ＣＰＵが暴走してパルスモータが停止しても印字濃度が極端に濃くなってしまうことを防止することができるプリンタ装置を提供することにある。
【課題を解決するための手段】
【０００５】
本発明は、記録媒体の搬送にパルスモータを用いたプリンタにおいて、サーマルヘッドと、このサーマルヘッドに制御信号を出力するヘッド制御部と、前記パルスモータに相信号を出力するパルスモータ制御部と、前記パルスモータ制御部から前記パルスモータに出力される相信号が変化していることを検出する変化検出手段とを具備し、前記変化検出手段は前記パルスモータに供給される相信号が変化していないと判定された場合には前記サーマルヘッドへの制御信号の出力を禁止することを特徴とする。
【発明の効果】
【０００６】
本発明によれば、ＣＰＵが暴走してパルスモータが停止した場合でも、印字濃度が極端に濃くなってしまうことを防止することができる。
【発明を実施するための最良の形態】
【０００７】
以下図面を参照して本発明の一実施の形態について説明する。図1を参照してプリンタ装置のシステム構成について説明する。図１において、１１は本プリンタ装置を統括して制御するＣＰＵ(中央処理装置)である。このＣＰＵ１１からのシステムバス１１ａには、ヘッド制御回路１２及びパルスモータ制御回路１３が接続されている。このＣＰＵ１１には、ヘッド制御回路１２及びパルスモータ制御回路１３を制御する機能を有する。
【０００８】
ヘッド制御回路１２は印字データaをサーマルヘッド１４に出力する。さらに、ヘッド制御回路１２はヘッドストローブ信号bをアンド回路１５の一方の入力端に出力する。ここで、サーマルヘッド１４は配列された発熱体を有し、この発熱体は印字データaに応じて選択して通電される。この通電はヘッドストローブ信号bがHレベル状態で行われる。
【０００９】
パルスモータ制御回路１３は図２(A)に示すような相信号をパルスモータドライバ１６に出力する。このパルスモータドライバ１６は入力される相信号に基づいて駆動信号を生成してパルスモータ１７に出力する。この結果、パルスモータ１７が回転されて、記録媒体としてのタグ、ラベルが搬送される。
【００１０】
また、パルスモータ制御回路１３から出力される相信号は、変化検出回路１８に出力される。この変化検出回路１８は相信号の立ち上がりxのタイミングで計時動作を開始し、相信号の立下りのタイミングyで計時動作を開始するタイマ１８ａを有する。そして、タイマ１８ａで計数される時間tが相信号のパルス幅ｔｐよりより大きいｔｓとなると、変化検出回路１８はゲート信号gとしてＬレベル信号をアンド回路１５の他方の入力端に出力する。
【００１１】
次に、上記のように構成された本発明の一実施の形態について説明する。まず、パルスモータ制御回路１３は、図２（Ａ）に示す相信号をパルスモータドライバ１６に出力する。このパルスモータドライバ１６は入力される相信号に基づいて駆動信号を生成し、パルスモータ１７に出力する。この結果、パルスモータ１７が1ステップずつ回転し、タグ、ラベルが搬送される。
【００１２】
てころで、相信号は変化検出回路１８にも出力されている。変化検出回路１８は相信号
タイマ１８ａで計数される時間tが相信号のパルス幅ｔｐよりより大きいｔｓより大きくなるとゲート信号gをＬレベル信号として出力し、それ以外ではゲート信号gをＨレベル信号として出力する。
【００１３】
従って、図２（Ａ）に示すように相信号がパルスモータ制御回路１３から出力されている状態では、アンド回路１５に入力されるゲート信号gはＨレベル信号である。
【００１４】
このため、ヘッド制御回路１２から出力されるヘッドストローブ信号bはサーマルヘッド１４に出力される。
【００１５】
この結果、ヘッドストローブ信号bがHレベル信号である状態で、サーマルヘッド１４に配設された発熱体は印字データaにより選択されて通電される。
【００１６】
これにより、タグあるいはラベル上に所望の印字が行われる。
【００１７】
一方、ＣＰＵ１１の暴走によりパルスモータ制御回路１３が停止した場合には、パルスモータ制御回路１３は相信号を出力しない。
【００１８】
従って、変化検出回路１８はゲート信号gとしてLレベル信号を出力する。この結果、ヘッドストローブ信号bはLレベル信号に保たれる。
【００１９】
この結果、ヘッド制御回路１２からサーマルヘッド１４に印字データａが出力されても、サーマルヘッド１４に配設された発熱体には通電されない。
【００２０】
これにより、ＣＰＵが暴走してパルスモータが停止しても、サーマルヘッド１４に配設された発熱体には通電しないようにしたので、印字濃度が極端に濃くなってしまうことを防止することができる。
【００２１】
なお、変化検出回路１８の構成は上記実施の形態に限定するものではなく種々変更可能である。
【図面の簡単な説明】
【００２２】
【図１】本発明の一実施の形態に係るプリンタ装置のシステム構成を示すブロック図。
【図２】同実施の形態の動作を説明するためのフローチャート。
【符号の説明】
【００２３】
１１…ＣＰＵ、１２…ヘッド制御回路、１３…パルスモータ制御回路、１４…サーマルヘッド、１５…アンド回路、１６…パルスモータドライバ、１７…パルスモータ、１８…変化検出回路。
【図１】
2007160633.tif 000003
【図２】
2007160633.tif 000004